(57)【特許請求の範囲】
【請求項１】
通信ネットワークのネットワーク装置内で利用者のマルチスクリーンサービスに対する要求を収集する方法であって、マルチスクリーンサービスは、各利用者について複数種類の再生端末にマルチメディアサービスを提供するものであり、前記方法は、
Ａ．利用者の携帯端末に、マルチメディアサービス通知情報、およびマルチスクリーンサービス要求コマンドテンプレートを含む少なくとも１組のメディアオブジェクトを含むＯＭＡインタラクティブメディアドキュメント、を送信するステップと、
Ｂ．利用者からフィードバックされるマルチスクリーンサービス要求コマンドを受信し、マルチスクリーンサービス要求コマンドに従ってマルチスクリーンサービスについての利用者の要件を決定するステップと、
を含む、収集方法。
【請求項２】
ＯＭＡインタラクティブメディアドキュメントが、
マルチスクリーンサービスＯＭＡ要求コマンドテンプレート、
マルチスクリーンサービスＳＭＳ要求コマンドテンプレート、
マルチスクリーンサービスＳＩＰ要求コマンドテンプレート、および
ショートカット制御ページへのリンク、
の１つをそれぞれ含む、任意の１つまたは複数の組のメディアオブジェクトを含む、請求項１に記載の方法。
【請求項３】
マルチスクリーンサービス要求コマンドテンプレートが、マルチスクリーンサービスコンテンツ、再生端末および再生時間に関連した情報を含み、かつ、
ステップＢにおいて、マルチスクリーンサービスコンテンツ、再生端末および再生時間についての利用者の要件が、マルチスクリーンサービス要求コマンドに従って決定される、
請求項１に記載の方法。
【請求項４】
マルチスクリーンサービスの再生端末に関連した情報が、
携帯端末の識別情報、
コンピュータの識別情報、および
テレビ受信機の識別情報
の少なくとも１つを含む、請求項３に記載の方法。
【請求項５】
ステップＡの前に以下のステップ、
利用者のマルチスクリーンサービス加入契約に従って利用者に送信されるべきＯＭＡインタラクティブメディアドキュメント内のマルチメディアサービス通知情報およびマルチスクリーンサービス要求コマンドテンプレートを決定するステップ、
をさらに含む、請求項１に記載の方法。
【請求項６】
マルチメディアサービス通知情報が、
マルチスクリーンサービスコンテンツのタイトル、
デフォルトの再生時間、
課金基準、
課金方法、および
マルチスクリーンサービスコンテンツのマルチメディアダイジェスト情報、
の任意の１つまたは複数を含む、請求項１に記載の方法。
【請求項７】
ＯＭＡインタラクティブメディアドキュメント内の１組のメディアオブジェクト内のマルチスクリーンサービス要求コマンドテンプレートが、マルチスクリーンサービスの伝送優先度についての情報をさらに含む、請求項１に記載の方法。
【請求項８】
通信ネットワークの携帯端末でマルチスクリーンサービスを要求する方法であって、マルチスクリーンサービスは、各利用者について複数種類の再生端末にマルチメディアサービスを提供するものであり、前記方法は、
ａ．ネットワーク装置から、マルチメディアサービス通知情報、およびマルチスクリーンサービス要求コマンドテンプレートを含む少なくとも１組のメディアオブジェクトを含む、ＯＭＡインタラクティブメディアドキュメントを受信するステップと、
ｂ．携帯端末によりサポートされているプロトコルに従って１組のメディアオブジェクト内のマルチスクリーンサービス要求コマンドテンプレートを取得するステップと、
ｃ．利用者の入力に従って取得したマルチスクリーンサービス要求コマンドテンプレートに基づきマルチスクリーンサービス要求コマンドを編集するステップと、
ｄ．ネットワーク装置にマルチスクリーンサービス要求コマンドを送信するステップと、
を含む、方法。
【請求項９】
携帯端末が、
ＯＭＡプロトコル、ＳＭＳプロトコル、ＳＩＰプロトコル、ＷＡＰプロトコルおよびＨＴＴＰプロトコル
の任意の１つまたは複数をサポートする、請求項８に記載の方法。
【請求項１０】
ステップｂにおいて、携帯端末によりサポートされているプロトコルに対応した１組のメディアオブジェクト内のマルチスクリーンサービス要求コマンドテンプレートが、所定の規則に基づき決定される、
請求項８または９に記載の方法。
【請求項１１】
所定の規則が、
決定されたプロトコルに基づくマルチスクリーンサービス要求コマンドに対する伝送時間が最短となることと、
決定されたプロトコルに基づくマルチスクリーンサービス要求コマンドにより占有される帯域幅資源が最小となることと、
の任意の１つまたは複数を含む、請求項１０に記載の方法。
【請求項１２】
マルチスクリーンサービス要求コマンドテンプレートが、マルチスクリーンサービスコンテンツ、再生端末および再生時間に関連する情報を含み、かつ
ステップｃにおいて、マルチスクリーンサービスコンテンツ、再生端末および再生時間についての利用者の要件を含むマルチスクリーンサービス要求コマンドが、利用者の入力に基づき編集される、
請求項８に記載の方法。
【請求項１３】
マルチスクリーンサービス要求コマンドテンプレートが、マルチスクリーンサービスの伝送優先度についての情報をさらに含み、かつ、
ステップｃにおいて、マルチスクリーンサービスの伝送優先度についての利用者の要件を含むマルチスクリーンサービス要求コマンドが、利用者の入力に基づき編集される、
請求項８に記載の方法。
【請求項１４】
ステップｂとｃの間に、
取得したマルチスクリーンサービス要求コマンドテンプレートに従って、利用者がマルチスクリーンサービス要求コマンドを編集するための入力パラメータ限定利用者インタフェースを提供するステップ、
をさらに含む、請求項８に記載の方法。
【請求項１５】
通信ネットワークのネットワーク装置内で利用者のマルチスクリーンサービスに対する要求を収集するための収集装置であって、マルチスクリーンサービスは、各利用者について複数種類の再生端末にマルチメディアサービスを提供するものであり、前記装置は、
利用者の携帯端末に、マルチメディアサービス通知情報、およびマルチスクリーンサービス要求コマンドテンプレートを含む少なくとも１組のメディアオブジェクトを含む、ＯＭＡインタラクティブメディアドキュメントを送信するための第１の送信手段と、
利用者からフィードバックされたマルチスクリーンサービス要求コマンドを受信し、マルチスクリーンサービス要求コマンドに従ってマルチスクリーンサービスについての利用者の要件を決定するための第１の受信手段と、
を備える、収集装置。
【請求項１６】
通信ネットワークの携帯端末内でマルチスクリーンサービスを要求するための要求装置であって、マルチスクリーンサービスは、各利用者について複数種類の再生端末にマルチメディアサービスを提供するものであり、前記装置は、
ネットワーク装置から、マルチメディアサービス通知情報、およびマルチスクリーンサービス要求コマンドテンプレートを含む少なくとも１組のメディアオブジェクトを含む、ＯＭＡインタラクティブメディアドキュメントを受信するための第２の受信手段と、
携帯端末よりサポートされているプロトコルに従って１組のメディアオブジェクト内のマルチスクリーンサービス要求コマンドテンプレートを取得するためのテンプレート取得手段と、
利用者の入力に従って取得したマルチスクリーンサービス要求コマンドテンプレートに基づくマルチスクリーンサービス要求コマンドを編集するためのコマンド編集手段と、
マルチスクリーンサービス要求コマンドをネットワーク装置に送信するための第２の送信手段と、
を備える、要求装置。
【発明の詳細な説明】
【技術分野】
【０００１】
本発明は、通信の分野に関し、詳細には、（特定利用者のテレビ受信機、パーソナルコンピュータおよび携帯端末の少なくとも２つ以上にマルチメディアサービスを提供する）マルチスクリーンサービス、およびそれらのサービス提供技術に関する。
【背景技術】
【０００２】
近年、マルチスクリーンサービスが、モバイル通信の発展に伴い高い注目を集めてきている。マルチスクリーンサービスは、本物のマルチスクリーンエクスペリエンスを提供するように、サービスプロバイダーが様々な通信サービス、特にマルチメディアコンテンツを様々な端末装置、例えば、テレビ受信機、パーソナルコンピュータ、携帯端末などに拡張することを必要としている。マルチスクリーンサービスは、利用者との重要な粘着性をもたらし、それ故、通信サービスプロバイダーの競争上の優位性を高めることになる。
【０００３】
Ｍｉｃｒｏｓｏｆｔはかって、いつでも、どこでも、どんな装置でも通信サービスにアクセスする能力を提供するこのような基本概念を有する統一的な通信エクスペリエンスを開発したことがある。Ａｌｃａｔｅｌ−Ｌｕｃｅｎｔから入手可能なマルチスクリーンエクスペリエンスは、同一の基本概念を組み込んでいる。マルチスクリーンサービスは、ユーザエクスペリエンスを改善するために利用者に個別化したサービスをサービスプロバイダーが提供することを可能とする。マルチスクリーンサービスは、利用者が、ある場所から別の場所へ移動すること、および任意の様々な端末装置、例えば、テレビ受信機、パーソナルコンピュータ、携帯端末などを通じて加入しているコンテンツを受信することを可能とする。
【０００４】
マルチスクリーンサービス利用者に通知するある既存の方法は、ショートメッセージを送信することである。しかしながら、マルチスクリーンサービスついての利用者のサービス要件をフィードバックするための統一的ショートメッセージフォーマットが、異なる携帯端末間で欠落している。より重要なことは、ショートメッセージは、サーバが利用者のショートメッセージコマンドにタイミングよく応答することができないような、通常可変の長い遅延を被り、従って、サービス品質を低下させる恐れがある。
【０００５】
利用者が対話することを可能とする別の方法は、利用者により３Ｇ携帯電話上で３ＧＰＰプロトコル内の利用者データアプリケーション部に入力されたサービス要求コマンドをカプセル化し、それにより３Ｇネットワーク内での多者会議向けの要求コマンドの迅速な対話を実行することである。しかしながら、この方法は、回線交換に基づくテレビ会議には向いているが、通信システムが、３Ｇネットワーク内のＷＣＤＭＡ（すなわち、３ＧＰＰ）ネットワーク上に展開されなければならないこと、利用者の携帯電話およびネットワーク装置の両者が、３ＧＰＰプロトコル、Ｈ．３２３およびＨ．３２４プロトコルをサポートしなければならないこと、並びに、３ＧＰＰ利用者データアプリケーション部プロトコルの制限のため、利用者が、難解な１６進数でサービス要求コマンドを入力しなければならないことを要求する。また、利用者データアプリケーション部プロトコルは、回線ドメインにおけるＴ．１２０およびＴ．１４０プロトコルに基づいているので、利用者データアプリケーション部内のデータは、まず、Ｈ．３２３およびＨ．３２４プロトコル中にカプセル化され、かつ伝送に先立ってＨ．３２３で多重化され、他の端点に到着した時点でＨ．３２３で逆多重化されなければならず、このことは、疑いなく利用者の３Ｇ携帯電話およびネットワーク装置の計算負荷を増大すると共に遅延を引き伸ばす。要約すれば、このテレビ会議型の方法（回線交換に基づく）は、その限界および専用性のためＩＰパケット交換に基づくマルチスクリーンサービスに適用することはできない。
【発明の概要】
【発明が解決しようとする課題】
【０００６】
既存のマルチスクリーンサービスソリューションにおける新しいサービス通知および対話のための機構を提供することが望まれる。
【０００７】
従来技術の中に示された前述の問題点に対処するために、本発明では、通信システムにおけるマルチスクリーンサービスの通知および対話のための方法および装置を提案する。
【課題を解決するための手段】
【０００８】
本発明の第１の態様によれば、Ａ．利用者の携帯端末に対して、マルチメディアサービス通知情報、およびマルチスクリーンサービス要求コマンドテンプレートを含む少なくとも１組のメディアオブジェクトを含むＯＭＡインタラクティブメディアドキュメントを送信するステップと、Ｂ．利用者からフィードバックされるマルチスクリーンサービス要求コマンドを受信し、マルチスクリーンサービス要求コマンドに従ってマルチスクリーンサービスについての利用者の要件を決定するステップとを含む、通信ネットワークのネットワーク装置の中で利用者のマルチスクリーンサービス要求を収集する方法が提供される。
【０００９】
本発明の第２の態様によれば、ａ．ネットワーク装置から、マルチメディアサービス通知情報、およびマルチスクリーンサービス要求コマンドテンプレートを含む少なくとも１組のメディアオブジェクトを含むＯＭＡインタラクティブメディアドキュメントを受信するステップと、ｂ．携帯端末がサポートするプロトコルに従って１組のメディアオブジェクト内のマルチスクリーンサービス要求コマンドテンプレートを取得するステップと、ｃ．利用者入力に従って、取得したマルチスクリーンサービス要求コマンドテンプレートに基づきマルチスクリーンサービス要求コマンドを編集するステップと、ｄ．ネットワーク装置にマルチスクリーンサービス要求コマンドを送信するステップと、を含む、通信ネットワークの携帯端末でマルチスクリーンサービスを要求する方法が提供される。
【００１０】
本発明の第３の態様によれば、利用者の携帯端末に、マルチメディアサービス通知情報、およびマルチスクリーンサービス要求コマンドテンプレートを含む少なくとも１組のメディアオブジェクトを含むＯＭＡインタラクティブメディアドキュメントを送信するための第１の送信手段と、利用者からフィードバックされたマルチスクリーンサービス要求コマンド受信し、マルチスクリーンサービス要求コマンドに従ってマルチスクリーンサービスについての利用者の要件を決定するための第１の受信手段と、を含む、通信ネットワークのネットワーク装置内で利用者のマルチスクリーンサービス要求を収集するための収集装置が提供される。
【００１１】
本発明の第４の態様によれば、ネットワーク装置から、マルチメディアサービス通知情報、およびマルチスクリーンサービス要求コマンドテンプレートを含む少なくとも１組のメディアオブジェクトを含むＯＭＡインタラクティブメディアドキュメント、を受信するための第２の受信手段と、携帯端末によりサポートされたプロトコルに従って１組のメディアオブジェクト内のマルチスクリーンサービス要求コマンドテンプレートを取得するためのテンプレート取得手段と、利用者入力に従って、取得したマルチスクリーンサービス要求コマンドテンプレートに基づきマルチスクリーンサービス要求コマンドを編集するためのコマンド編集手段と、マルチスクリーンサービス要求コマンドをネットワーク装置に送信するための第２の送信手段と、を含む、通信ネットワークの携帯端末内でマルチスクリーンサービスを要求するための要求装置が提供される。
【００１２】
今のところ従来技術中のＯＭＡ標準を使用して統一的マルチスクリーンサービス要求コマンドを定義する方法は存在しない。本発明では、統一的マルチスクリーンサービス要求コマンドテンプレートが、マルチスクリーンサービスについてのネットワーク装置の通知およびマルチスクリーンービスコンテンツに対する利用者の要求コマンドが、オープンモバイルアライアンス（ＯＭＡ）標準に適合するように、ＯＭＡインタラクティブメディアドキュメントを使用して定義される。本発明におけるＯＭＡインタラクティブメディアドキュメント内に定義されるマルチスクリーンサービス要求コマンドテンプレートを用いて、利用者は、要求コマンドを簡単かつ迅速に生成することができて、それ故利用者の入力誤りの確率を大いに削減し、かつ、あらかじめ接続を設定する必要がなく、従って、ユーザエクスペリエンスの品質を大いに改善し、遅延を短縮する。ネットワーク装置は、クライアントで使用される統一的コマンドテンプレートにより利用者の要求コマンドにタイミングよく、かつ正確に応答することができる。
【００１３】
さらに、本発明による方法および装置の異なる実施形態ではさらに、以下の利点の一部または全てを提供することができる：
１）ネットワーク装置は、利用者にパーソナルコンピュータや携帯端末を通じてマルチスクリーンサービスをより簡単かつ好都合に要求するための新しい取り組み法が提供されるように、要求コマンドが好都合に送信され得るＷＡＰ／ＷＷＷページまたはリンクを利用者に提供することができる。
【００１４】
２）本発明の統一的コマンドテンプレートを用いて、クライアントのソフトウェア開発者は、それに応じて、利用者が、簡単な操作、例えば、数字の入力、いくつかの選択肢の選択などを使用してマルチスクリーンサービス要求コマンドを編集できるように、より親しみやすい入力制御インタフェース、例えば、ドロップダウンメニュー、入力ボックス、またはそれらに添付された一時的ポップアップヘルプボックスなどを作成することができる。
【００１５】
ＯＭＡのグローバルな開発に伴い、ＯＭＡ参加メンバの生産高は、モバイル通信の全生産高の９０％より多くを占めている。ＯＭＡアプリケーションプロトコルの使用により、本発明は、ＯＭＡをサポートする任意の無線通信システム、例えば、２．５Ｇ、３Ｇ、ＷｉＭＡＸ、ＬＴＥ、４Ｇなどの様々な無線通信ネットワーク、並びにこれらのネットワークから構成される混成ネットワークに適用され得る。
【００１６】
本発明の他の特徴、目的および利点は、図面を参照して、以下の非制限的実施形態の詳細な説明からより明確となろう。
【図面の簡単な説明】
【００１７】
【図１】本発明の実施形態による通信システムの概略の構造図である。
【図２】本発明の実施形態による系統的方法の流れ図である。
【図３】本発明の実施形態によるマルチスクリーンサービス要求コマンドテンプレートを含むＯＭＡインタラクティブメディアドキュメントの概略図である。
【図４】本発明の実施形態による通信ネットワークのネットワーク装置内で利用者のマルチスクリーンサービス要求を収集するための収集装置のブロック図である。
【図５】本発明の実施形態による通信ネットワークの携帯端末内でマルチスクリーンサービスを要求するための要求装置のブロック図である。
【発明を実施するための形態】
【００１８】
同一のまたは類似の参照番号は、同一のまたは類似のステップ機能または手段（モジュール）を表す。
【００１９】
図１は、本発明の実施形態による通信システムの概略構造図を示す。図示のように、システムは、ネットワーク装置１並びに利用者端末２ａ、２ｂおよび２ｃを含む。利用者端末は、情報を受信する、またはネットワーク上での情報対話を実行する能力がある任意の形式の端末装置、特に、マルチメディア情報を受信する能力がある端末装置、例えば、デスクトップコンピュータ、ノートブックコンピュータ、携帯電話、携帯情報端末（ＰＤＡ）、テレビ受信機などであり得る。図示されたように、利用者端末２ａ、２ｂおよび２ｃは、例えば同一の利用者のものであるがそれに限定されず、利用者端末２ａは、携帯電話であり、利用者端末２ｂは、テレビ受信機であり、また利用者端末２ｃは、コンピュータであり、利用者は、マルチスクリーンサービスの通知および要求対話が、ネットワーク装置１と利用者端末２ａ間でＯＭＡインタラクティブメディアドキュメントを使用して実行され得る任意の端末装置を通じてマルチスクリーンサービスコンテンツを受信することができる。図面において、破線は、ネットワーク装置１と利用者端末２ａ間で対話されるマルチスクリーンサービスの通知およびマルチスクリーンサービス要求コマンドを表し、実線は、マルチスクリーンサービスコンテンツの送信を表す。当業者は、マルチスクリーンサービスコンテンツの送信が、ネットワーク装置１またはネットワーク装置１と互いに独立な他のサーバにより実行され得ることを理解するであろう。
【００２０】
当業者は、図１が、単にある実施形態を示しており、マルチスクリーンサービスを提供する通信システムが、図１の構造に限定されないことを理解するであろう。システム内の利用者は、３種類の端末装置、すなわち、携帯電話、テレビ受信機およびコンピュータ、全てを保有している必要はなく、例えば、利用者は、携帯電話およびテレビ受信機を保有することでもよく、あるいは利用者は、携帯電話およびコンピュータを保有することでもよい。利用者は、保有する任意の端末装置を通じてマルチスクリーンサービスコンテンツを受信することができ、マルチスクリーンサービスの通知および要求の対話は、ＯＭＡインタラクティブメディアドキュメントを使用してネットワーク装置と利用者の携帯端末間で実行され得る。
【００２１】
図２は、本発明の実施形態による系統的方法の流れ図を示す。本発明は、以下に図１および図２を参照して、通信ネットワークのネットワーク装置内での利用者のマルチスクリーンサービス要求を収集するための方法の流れ、および通信ネットワークの携帯端末内でのマルチスクリーンサービスを要求するための方法の流れを説明することにより、方法の観点から記載される。
【００２２】
以下のステップは、ネットワーク装置１側で実行されることになる。
【００２３】
まず、ステップＳ１２において、ネットワーク装置１は、マルチメディアサービス通知情報、およびマルチスクリーンサービス要求コマンドテンプレートを含む少なくとも１組のメディアオブジェクトを含む、ＯＭＡインタラクティブメディアドキュメントを利用者端末２ａ、すなわち、利用者の携帯端末に送信する。
【００２４】
マルチスクリーンサービスの再生端末は、携帯端末、テレビ受信機またはコンピュータであり得て、通常、携帯端末のみが、利用者に持ち搬送されかつ常時待機中であり、従って、サービス要求コマンドテンプレートの携帯端末への送信により、利用者からの時宜を得たフィードバックが促される。
【００２５】
様々なモバイルネットワークが存在し、異なるモバイルネットワークの携帯端末は、異なるプロトコルをサポートする。様々なシステム、プロトコルおよび装置との互換性のため、ネットワーク装置１により送信されるＯＭＡインタラクティブメディアドキュメントは、特定のプロトコルに基づくマルチスクリーンサービス要求コマンドテンプレートにそれぞれが対応した、複数の組のメディアオブジェクトを含むことができる。例えば、それらに限定されないが、１組のメディアオブジェクトは、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、またはマルチスクリーンサービス要求コマンドショートカット制御ページへのリンクであり得る。このようなリンクは、ＷＡＰプロトコルに基づくリンクまたはＨＴＴＰプロトコルに基づくｗｅｂリンクであり得る。
【００２６】
図３は、本発明の実施形態によるマルチスクリーンサービス要求コマンドテンプレートを含むＯＭＡインタラクティブメディアドキュメントの概略図を示す。図３に示すように、ネットワーク装置１により送信されるＯＭＡインタラクティブメディアドキュメントは、好ましくは、４組のメディアオブジェクト全て、すなわち、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、およびマルチスクリーンサービス要求コマンドショートカット制御ページへのリンクを含む。無論、ネットワーク装置１により送信されるＯＭＡインタラクティブメディアドキュメントは、また、前述の組のメディアオブジェクトの中の２つ、３つあるいは１つのみを代替的に含むのでもよく、さらに別のプロトコルに基づくマルチスクリーンサービス要求コマンドテンプレートを含んでもよい。利用者端末２ａは、自端末でサポートしているプロトコルに従ってマルチスクリーンサービス要求コマンドテンプレートの１つを決定することができ、決定されたテンプレートに従ってマルチスクリーンサービス要求コマンドを編集し、かつ、これをネットワーク装置１にフィードバックする。
【００２７】
マルチスクリーンサービスを受信する利用者は、特に、３Ｗ（Ｗｈａｔ(何を)、Ｗｈｅｒｅ（どこで）およびＷｈｅｎ（いつ））、すなわち、マルチスクリーンサービスコンテンツ、再生端末および再生時間にとりわけ興味がある。従って、マルチスクリーンサービス要求コマンドテンプレートは、好ましくは、前述の３つの項目に関連した情報を含む。当業者は、マルチスクリーンサービスコンテンツ、再生端末および再生時間に関連した情報が、文字列、数字、または別の識別子の形式であり得ることを理解するであろう。例えば、３種類の再生端末は、それぞれ「モバイル」、「ＰＣ」および「ＴＶ」のような文字列で、またはそれぞれ「００１」、「００２」および「００３」のような数字で識別され得る。対応して、利用者端末２ａからフィードバックされるマルチスクリーンサービス要求コマンドはさらに、マルチスクリーンサービスコンテンツ、再生端末および再生時間についての利用者の要件を含む。
【００２８】
上記のように、マルチスクリーンサービス要求コマンドテンプレートは、いくつかの要素、例えば、マルチスクリーンサービスコンテンツ、再生端末および再生時間などを含む。統一的コマンドフォーマットの目的に従って、それぞれの要素の配置順序は、マルチスクリーンサービス要求コマンドテンプレートの中で定義されることになる。例えば、再生端末、再生時間、再生日およびサービスコンテンツが、この順序で配置されている要求コマンドテンプレートは、｛＿，＿：＿，ｙｙ／ｍｍ／ｄｄ，＿｝で表されることができ、ＯＭＡインタラクティブメディアドキュメントはさらに、テンプレートのそれぞれのフィールドの定義、および利用者が自身の要求コマンドを構築する方法に関する案内を含むことができる。あるいは、要求コマンドテンプレートは、既に良く編集された要求コマンドであってもよく、その中の一部または全てのフィールドが、所望のように利用者により修正されても良く、例えば、要求コマンドテンプレートは、｛Ｍｏｂｉｌｅ，９：００，２００９０６１５，ＮＢＡファイナル２００９＃５｝と表すことができ、下線部は、利用者によって修正され得る。ここに述べたマルチスクリーンサービス要求コマンドテンプレートのフォーマットについての説明は、単に例示のためのもので、限定するものではない。
【００２９】
しかも、ＯＭＡインタラクティブメディアドキュメントはさらに、マルチスクリーンサービスコンテンツのタイトル、デフォルトの再生時間、課金基準、課金方法およびマルチスクリーンサービスコンテンツのマルチメディアダイジェスト情報の任意の１つまたは複数を含むことができる、マルチスクリーンサービス通知情報も含むことができる。例えば、新しいマルチスクリーンサービスコンテンツの項目が映画である場合、マルチスクリーンサービス通知情報は、映画のタイトル、並びに短い紹介文および／または映画のビデオクリップを含む対応したマルチメディアダイジェスト情報を含むことができる。利用者は、短い紹介文および／または映画のビデオクリップを見ることにより映画全体を受信するか否かを決定することができる。別の例では、新しいマルチスクリーンサービスコンテンツの項目が、目前に迫ったフットボールの試合であり、マルチスクリーンサービス通知情報は、フットボール試合のタイトル、デフォルトの再生時間、課金基準、マルチメディアダイジェスト情報などを含むことができ、ここで、デフォルトの再生時間はフットボール試合の生の放映時間であり、課金基準は、生の放映またはビデオ録画いずれを見るかに応じて利用者に異なった課金をすることができ、また、マルチメディアダイジェスト情報には試合の短い紹介文および／または試合の両対戦者の履歴ビデオを含むことができる。利用者は、マルチメディアダイジェスト情報に従って試合を見るか否かを決定することや、課金基準に従って生の放映またはビデオ録画いずれを見るかを決定することができる。ユーザエクスペリエンスの品質は、マルチスクリーンサービスに関連した豊富な通知情報を利用者の携帯端末に送信されるＯＭＡインタラクティブメディアドキュメントに追加することにより大いに高められ得る。
【００３０】
異なる利用者は、マルチスクリーンサービスコンテンツの好みが異なる。例えば、ある利用者は、スポーツ番組を好むが、ある利用者は現在の政治ニュースを好む。さらに、異なる利用者は、異なる端末装置を保有する、すなわち異なる範囲の利用可能な再生端末を保有する。例えば、ある利用者は、携帯端末およびテレビ受信機を保有し、ある利用者は、携帯端末およびコンピュータを保有し、またある利用者は、携帯端末、テレビ受信機およびコンピュータの全てを保有している。従って、好ましくは、利用者の加入契約に従ってＯＭＡインタラクティブメディアドキュメントを決定するステップがさらに、ステップＳ１２の前に含まれる。
【００３１】
具体的には、利用者は、マルチスクリーンサービスへの加入時に受信を希望するマルチスクリーンサービスの種類を選択でき、ネットワーク装置１は、利用者の加入契約に従って利用者に送信されるべきＯＭＡインタラクティブメディアドキュメント中のマルチスクリーンサービス通知情報およびマルチスクリーンサービス要求コマンドテンプレートを決定する。利用者は、それらの異なる加入要件に従って分類され得る。例えば、しかし、それに限定されないが、スポーツ番組に加入している利用者は、一緒に分類され、新しいスポーツ番組のコンテンツが出た場合、ネットワーク装置１は、このグループの利用者の携帯端末に、スポーツ番組の新しいコンテンツに関連した情報を含むマルチスクリーンサービス通知情報を持つＯＭＡインタラクティブメディアドキュメントをマルチキャストする。注目度が非常に高いマルチスクリーンサービスコンテンツは、全ての利用者に受信される可能性があるものとしてデフォルト設定され得る。例えば、オリンピックの開会式の生番組や建国６０周年の生番組のコンテンツがある場合、ネットワーク装置１は、全利用者の携帯端末に、対応するコンテンツに関連した情報を含むマルチスクリーンサービス通知情報を持つＯＭＡインタラクティブメディアドキュメントをブロードキャストすることができる。無論、ネットワーク装置１はまた、特定の利用者の携帯端末に、利用者が加入しているサービス固有の種類のコンテンツに関連した情報を含むマルチスクリーンサービス通知情報を持つＯＭＡインタラクティブメディアドキュメントを個別に送信することもできる。
【００３２】
さらに、マルチスクリーンサービス要求コマンドテンプレート内のマルチスクリーンサービス再生端末に関連した情報は、携帯端末の識別情報、コンピュータの識別情報およびテレビ受信機の識別子情報の任意の１つまたは複数を含むことができる。具体的には、利用者は、マルチスクリーンサービスへの加入時にマルチスクリーンサービスを受信するために利用可能な再生端末の範囲を選択することができ、ネットワーク装置１は、利用者の加入契約に従って利用者に送信されるべきＯＭＡインタラクティブメディアドキュメント中のマルチスクリーンサービス要求コマンドテンプレート内のマルチスクリーンサービス再生端末に関連した情報を決定する。例えば、利用者は、携帯端末およびコンピュータを保有し、かつ、マルチスクリーンサービス加入時に利用者により選択された利用可能な再生端末の範囲には、携帯端末およびコンピュータのみが含まれており、ネットワーク装置１は、利用者の携帯端末に、携帯端末の識別情報およびコンピュータの識別情報を含む再生端末に関連した情報を搬送するマルチスクリーンサービス要求コマンドテンプレートを持つＯＭＡインタラクティブメディアドキュメントを送信する。可能性のある別のソリューションは、ネットワーク装置１により任意の利用者の携帯端末に送信されるＯＭＡインタラクティブメディアドキュメント内のマルチスクリーンサービス要求コマンドテンプレートにより搬送される再生端末に関連した情報は、３つの再生端末の全ての識別情報を含み、マルチスクリーンサービス要求コマンドテンプレートはさらに、それぞれの再生端末の状態情報を含み、その結果、ネットワーク装置１は、利用者の加入契約に従って３つの再生端末の状態情報の一部または全てを「利用可能」にまた他の状態情報を「使用不可」に設定する。
【００３３】
ＯＭＡインタラクティブメディアドキュメントが、利用者の加入契約に従って決定される上記シナリオの全ては、単に例示のためのもので本発明を限定するものではなく、当業者は、前述の説明を踏まえて他の変形や修正を行うことができる。さらに、当業者は、利用者の加入契約が、利用者の要求により更新され得ることを理解するであろう。例えば、マルチスクリーンサービスの種類および／または利用可能な再生端末の範囲は、更新され得る。
【００３４】
本発明の実施形態によれば、利用者の携帯端末に送信されるＯＭＡインタラクティブメディアドキュメント内のマルチスクリーンサービス要求コマンドテンプレートはさらに、マルチスクリーンサービスの伝送優先度に関連した情報を含むことができる。従って、利用者に、異なるサービス品質を選択することが提供され得る。
【００３５】
上記のように、ＯＭＡインタラクティブメディアドキュメント内の１組のメディアオブジェクトは、ＷＡＰプロトコルに基づくリンクまたはＨＴＴＰプロトコルに基づくリンクであり得る、マルチスクリーンサービス要求コマンドショートカット制御ページへのリンクを含むことができる。リンクが示すページには、マルチスクリーンサービスコンテンツ、再生端末、再生時間などに関連した情報が含まれ得て、選択肢のドロップダウンメニュー、入力ボックスまたは別の編集制御機能が、それらによって、利用者にマルチスクリーンサービスをより簡単かつ好都合に要求するための取り組み法を提供するために設定され得る。しかも、本ページはさらに、利用者による選択を容易にし、ユーザエクスペリエンスの品質を改善するためにマルチスクリーンサービスコンテンツに関連したマルチメディアダイジェスト情報を含むことができる。利用者は、ＨＴＴＰプロトコルに基づくマルチスクリーンサービス要求コマンドショートカット制御ページにアクセスし、利用者端末２ｃ、すなわちパーソナルコンピュータを通じて番号を入力するあるいはある選択肢を選択するといった対応する操作を実行することができる。利用者の入力に応答して、ページ内に組み込まれた編集制御機能は、ネットワーク装置１へのマルチスクリーンサービス要求コマンドを自動的に生成し、送信することになる。当業者は、マルチスクリーンサービス要求コマンドショートカット制御ページを提供するためのネットワーク装置１およびサーバが、同一の装置であっても互いに独立な装置であっても良いことを理解するであろう。
【００３６】
ステップＳ１４において、ネットワーク装置１は、利用者からフィードバックされたマルチスクリーンサービス要求コマンドを受信し、マルチスクリーンサービス要求コマンドに従ってマルチスクリーンサービスについての利用者要件を決定する。上記のように、利用者からフィードバックされたマルチスクリーンサービス要求コマンドは、利用者の携帯端末、例えば、利用者端末２ａなど、またはマルチスクリーンサービス要求コマンドショートカット制御ページを提供するサーバから到来し得る。
【００３７】
具体的には、例えば、利用者端末２ａは、｛Ｍｏｂｉｌｅ，９：００，２００９０６１５，ＮＢＡファイナル２００９＃５；ＰＣ，Ｎｏｎｅ；ＴＶ，２１：００，２００９０６１５，ＮＢＡファイナル２００９＃５｝のコンテンツを持つＯＭＡプロトコルに基づくマルチスクリーンサービス要求コマンドをフィードバックし、ネットワーク装置１は、要求コマンドに従って、ＮＢＡファイナル２００９の第５試合の生番組を９：００に自分の携帯端末、すなわち利用者端末２ａで、かつ、同じ試合のビデオ録画を自分のテレビ受信機で２１：００に見ることを利用者が要求すること、を決定できる。当業者は、マルチスクリーンサービス要求コマンドの前述の形式およびコンテンツが、単に例示的なもので本発明を限定するものではないことを理解するであろう。
【００３８】
以下のステップは、利用者端末２ａ、すなわち利用者の携帯端末側で実行されることになる。
【００３９】
まず、ステップＳ２１において、利用者端末２ａは、マルチスクリーンサービス要求コマンドテンプレートを含む少なくとも１組のメデイアオブジェクトを含む、ＯＭＡインタラクティブメディアドキュメントをネットワーク装置１から受信する。
【００４０】
上記のように、ネットワーク装置１により送信されたＯＭＡインタラクティブメディアドキュメントは、好ましくは、４組のメディアオブジェクト、すなわち、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレートおよびマルチスクリーンサービス要求コマンドショートカット制御ページへのリンクそれぞれを含む。無論、ネットワーク装置１により送信されたＯＭＡインタラクティブメディアドキュメントはまた、前述のメディアオブジェクトの組の２つ、３つまたは１つのみを含むことができ、さらに、別のプロトコルに基づくマルチスクリーンサービス要求コマンドテンプレートを含むこともできる。
【００４１】
次いで、ステップＳ２３において、利用者端末２ａは、サポートしているプロトコルに従って、１組のメディアオブジェクト内のマルチスクリーンサービス要求コマンドテンプレートを取得することができる。
【００４２】
具体的には、利用者端末２ａによりサポートされるプロトコルは、ＯＭＡプロトコル、ＳＭＳプロトコル、ＳＩＰプロトコル、ＷＡＰプロトコルおよびＨＴＴＰプロトコルの任意の１つまたは複数を含むことができる。
【００４３】
可能性が高いシナリオでは、利用者端末２ａにより受信されたＯＭＡインタラクティブメディアドキュメントは、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、並びにＷＡＰプロトコルおよび／またはＨＴＴＰプロトコルに基づくマルチスクリーンサービス要求コマンドショートカット制御ページへのリンクである、複数の組のメディアオブジェクトを、それぞれ含む。本発明のいくつかの実施形態によれば、利用者端末２ａが、２つ以上の前述のプロトコル、例えば、ＯＭＡプロトコル、ＳＭＳプロトコル、ＳＩＰプロトコル、ＷＡＰプロトコルなどをサポートし、利用者端末２ａは、異なるプロトコルに基づく複数のマルチスクリーンサービス要求コマンドテンプレートそれぞれをフェッチすることができる。好ましくは、利用者端末２ａは、所定の規則に従って、サポートしているプロトコルの１つに対応した１組のメディアオブジェクト内のマルチスクリーンサービス要求コマンドテンプレートを決定することになる。異なる目的のために、ここでの所定の規則には、任意の１つまたは複数の以下の事項、すなわち決定されたプロトコルに基づくマルチスクリーンサービス要求コマンドに対する伝送時間が最短となるようにすること、および決定されたプロトコルに基づくマルチスクリーンサービス要求コマンドにより占有される帯域幅資源が最小となること、であり得る。例えば、利用者端末２ａは、マルチスクリーンサービス要求コマンドフィードバックのための最短伝送時間を達成するためにＯＭＡプロトコルに基づくコマンドテンプレートまたはＳＩＰプロトコルに基づくコマンドテンプレートを選択することができる。
【００４４】
次いで、ステップＳ２７において、利用者端末２ａは、利用者の入力に従って取得したマルチスクリーンサービス要求コマンドテンプレートに基づきマルチスクリーンサービス要求コマンドを編集する。
【００４５】
例えば、利用者端末２ａは、ステップＳ２３においてＯＭＡプロトコルに基づきマルチスクリーンサービス要求コマンドテンプレートを決定し、次いで、ステップＳ２７において、利用者の入力に従って決定されたテンプレートに基づきＯＭＡプロトコルに準拠したマルチスクリーンサービス要求コマンドを編集する。
【００４６】
本発明のいくつかの実施形態によれば、マルチスクリーンサービス要求コマンドテンプレートが、マルチスクリーンサービスコンテンツ、再生端末および再生時間に関連した情報を含む場合、利用者端末２ａは、ステップＳ２７において、利用者の入力に従ってマルチスクリーンサービスコンテンツ、再生端末および再生時間についての利用者の要件を含むマルチスクリーンサービス要求コマンドを編集する。例えば、ＯＭＡプロトコルに基づき上手く編集されたマルチスクリーンサービス要求コマンドは、｛Ｍｏｂｉｌｅ，９：００，２００９０６１５，ＮＢＡファイナル２００９＃５；ＰＣ，Ｎｏｎｅ；ＴＶ，２１：００，２００９０６１５，ＮＢＡファイナル２００９＃５｝のような文字列の形で表され得て、このコマンドは、利用者がＮＢＡファイナル２００９の第５試合の生放送を９：００に自分の携帯端末、すなわち利用者端末２ａで、また同じ試合位のビデオ録画を自分のテレビ受信機で２１：００に見ることを要求することを示す。
【００４７】
本発明のいくつかの実施形態によれば、マルチスクリーンサービス要求コマンドテンプレートがさらに、マルチスクリーンサービスの伝送優先度に関連した情報を含む場合、利用者端末２ａは、ステップＳ２７において、利用者の入力に従ってマルチスクリーンサービスの伝送優先度についての利用者の要件を含むマルチスクリーンサービス要求コマンドを編集する。
【００４８】
次いで、ステップＳ２９において、利用者端末２ａは、上手く編集されたマルチスクリーンサービス要求コマンドをネットワーク装置１に送信する。
【００４９】
本発明のある実施形態によれば、以下のステップはさらに、ステップＳ２３とＳ２７の間に含まれ、利用者端末２ａは、取得されたマルチスクリーンサービス要求コマンドテンプレートに従って、マルチスクリーンサービス要求コマンドを編集する利用者のための入力パラメータ限定利用者インタフェースを提供する。具体的には、利用者端末２ａは、マルチスクリーンサービス要求コマンドテンプレートに従ってより親しみやすい入力制御インタフェースを提供する、例えば、ドロップダウンメニュー、入力ボックス、それらに添付された一時的ポップアップヘルプボックスを提供することができ、従って、利用者は、番号を入力する、いくつかの選択肢を選択するなどの簡単な操作手段によりマルチスクリーンサービス要求コマンドの編集を完遂することができる。例えば、マルチスクリーンサービス要求コマンドテンプレートが、マルチスクリーンサービスコンテンツ、再生端末、再生時間および再生日に関連した情報を含む場合、対応する入力制御インタフェースは、再生端末およびサービスコンテンツに関連した情報を相互に結びつけ、複数の組み合わせを索引付けした項目として提供することができ、その結果、利用者は、「再生端末＋サービスコンテンツ」の所望の特定の項目に対して「再生時間」および「再生日」のフィールドに単に入力することができる。入力制御インタフェースについてのここでの説明は、単に例示的なもので限定するものではない。
【００５０】
図４は、本発明のある実施形態による通信ネットワークのネットワーク装置内で利用者のマルチスクリーンサービス要求を収集するための収集装置のブロック図を示す。図４に示すように、収集装置１０は、第１の送信手段１０１および第１の受信手段１０２を含む。収集装置１０は、通常、通信ネットワーク内のネットワーク装置、例えばネットワーク装置１内に配置される。
【００５１】
図５は、本発明のある実施形態による通信ネットワークの携帯端末内のマルチスクリーンサービスを要求するための要求装置のブロック図を示す。図５に示すように、要求装置２０は、第２の受信手段２０１、テンプレート取得手段２０２、コマンド編集手段２０３および第２の送信手段２０４を含む。要求装置２０は、通常、通信ネットワークの携帯端末、例えば利用者端末２ａ内に配置される。
【００５２】
本発明は、図２、図４および図５を参照して装置の観点から以下に記載される。
【００５３】
以下のステップは、ネットワーク装置１側で実行されることになる。
【００５４】
まず、収集装置１０内の第１の送信手段１０１は、マルチスクリーンサービス要求コマンドテンプレートを含む少なくとも１組のメディアオブジェクトを含む、ＯＭＡインタラクティブメディアドキュメントを利用者端末２ａ、すなわち利用者の携帯端末に送信する。
【００５５】
マルチスクリーンサービスの再生端末は、携帯端末、テレビ受信機またはコンピュータであり得て、通常、携帯端末のみが、利用者に持ち搬送されかつ常時待機中であり得て、従って、サービス要求コマンドテンプレートの携帯端末への送信により、利用者からの時宜を得たフィードバックが促される。
【００５６】
様々なモバイルネットワークが存在し、異なるモバイルネットワークの携帯端末は、異なるプロトコルをサポートする。様々なシステム、プロトコルおよび装置との互換性のため、第１の送信手段１０１により送信されるＯＭＡインタラクティブメディアドキュメントは、それぞれが、特定のプロトコルに基づくマルチスクリーンサービス要求コマンドテンプレートに対応する、複数の組のメディアオブジェクトを含むことができる。例えば、しかしそれらに限定はされない、１組のメディアオブジェクトは、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、またはマルチスクリーンサービス要求コマンドショートカット制御ページへのリンクであり得る。このようなリンクは、ＷＡＰプロトコルに基づくリンクまたはＨＴＴＰプロトコルに基づくｗｅｂリンクであり得る。
【００５７】
図３に示すように、第１の送信手段１０１により送信されるＯＭＡインタラクティブメディアドキュメントは、好ましくは、４組のメディアオブジェクト全て、すなわち、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、およびマルチスクリーンサービス要求コマンドショートカット制御ページへのリンクを含む。無論、第１の送信手段１０１により送信されるＯＭＡインタラクティブメディアドキュメントはまた、前述のメディアオブジェクトの組の２つ、３つまたは１つのみを含むことができ、さらに、別のプロトコルに基づくマルチスクリーンサービス要求コマンドテンプレートを含むこともできる。利用者端末２ａは、サポートするプロトコルに従ってマルチスクリーンサービス要求コマンドテンプレートの１つを決定し、決定されたテンプレートに従ってマルチスクリーンサービス要求コマンドを編集し、これをネットワーク装置１にフィードバックすることができる。
【００５８】
マルチスクリーンサービスを受信する利用者は、３Ｗ（Ｗｈａｔ（何を）、Ｗｈｅｒｅ（どこで）およびＷｈｅｎ（いつ））、すなわち、マルチスクリーンサービスコンテンツ、再生端末および再生時間にとりわけ興味がある。従って、マルチスクリーンサービス要求コマンドテンプレートは、好ましくは、前述の３つの項目に関連した情報を含む。当業者は、マルチスクリーンサービスコンテンツ、再生端末および再生時間に関連した情報が、文字列、数字または別の識別子の形であり得ることを理解するであろう。例えば、３種類の再生端末は、それぞれ「モバイル」、「ＰＣ」および「ＴＶ」のような文字列で、または、それぞれ「００１」、「００２」および「００３」のような数字で識別され得る。対応して、利用者端末２ａからフィードバックされるマルチスクリーンサービス要求コマンドはさらに、マルチスクリーンサービスコンテンツ、再生端末および再生時間についての利用者の要件を含む。
【００５９】
上記のように、マルチスクリーンサービス要求コマンドテンプレートは、いくつかの要素、例えば、マルチスクリーンサービスコンテンツ、再生端末および再生時間などを含む。統一的コマンドフォーマットの目的に従って、それぞれの要素の配置順序は、マルチスクリーンサービス要求コマンドテンプレートの中で定義されることになる。例えば、再生端末、再生時間、再生日およびサービスコンテンツが、この順序で配置される要求コマンドテンプレートは、｛＿，＿：＿，ｙｙ／ｍｍ／ｄｄ，＿｝で表されることができ、ＯＭＡインタラクティブメディアドキュメントはさらに、テンプレートのそれぞれのフィールドの定義、および利用者が自身の要求コマンドを構築する方法に関する案内を含むことができる。あるいは、要求コマンドテンプレートは、既に良く編集された要求コマンドであってもよく、その中の一部または全てのフィールドが、所望のように利用者により修正されても良く、例えば、要求コマンドテンプレートは、｛Ｍｏｂｉｌｅ，９：００，２００９０６１５，ＮＢＡファイナル２００９＃５｝と表すことができ、下線部は、利用者によって修正され得る。ここに述べたマルチスクリーンサービス要求コマンドテンプレートのフォーマットについての説明は、単に例示のためのもので、限定するものではない。
【００６０】
しかも、ＯＭＡインタラクティブメディアドキュメントはさらに、マルチスクリーンサービスのタイトル、デフォルトの再生時間、課金基準、課金方法およびマルチスクリーンサービスコンテンツのマルチメディアダイジェスト情報の任意の１つまたは複数を含むことができる、マルチスクリーンサービス通知情報を含むことができる。例えば、新しいマルチスクリーンサービスコンテンツの項目が映画である場合、マルチスクリーンサービス通知情報は、映画のタイトル、並びに短い紹介文および／または映画のビデオクリップを含む対応したマルチメディアダイジェスト情報を含むことができる。利用者は、短い紹介文および／または映画のビデオクリップを見ることにより映画全体を受信するか否かを決定することができる。別の例では、新しいマルチスクリーンサービスコンテンツの項目が、目前に迫ったフットボール試合であり、マルチスクリーンサービス通知情報は、フットボール試合のタイトル、デフォルトの再生時間、課金基準、マルチメディアダイジェスト情報などを含むことができ、ここで、デフォルトの再生時間はフットボール試合の生の放映時間であり、課金基準は、生の放映またはビデオ録画いずれを見るかに応じて利用者に異なった課金をすることができ、また、マルチメディアダイジェスト情報には試合の短い紹介文および／または試合の両対戦者の履歴ビデオを含むことができる。利用者は、マルチメディアダイジェスト情報に従って試合を見るか否かを決定することや、課金基準に従って生の放映またはビデオ録画いずれを見るかを決定することができる。ユーザエクスペリエンスの品質は、マルチスクリーンサービスに関連した豊富な通知情報を利用者の携帯端末に送信されるＯＭＡインタラクティブメディアドキュメントに追加することにより大いに高められ得る。
【００６１】
異なる利用者は、マルチスクリーンサービスコンテンツの好みが異なる。例えば、ある利用者は、スポーツ番組を好むが、ある利用者は現在の政治ニュースを好む。さらに、異なる利用者は、異なる端末装置を保有する、すなわち異なる範囲の利用可能な再生端末を保有する、例えば、ある利用者は、携帯端末およびテレビ受信機を保有し、ある利用者は、携帯端末およびコンピュータを保有し、また、ある利用者は、携帯端末、テレビ受信機およびコンピュータの全てを保有している。従って、好ましくは、収集装置１０はさらに、利用者の加入契約に従ってＯＭＡインタラクティブメディアドキュメントを決定するための補助手段を決定するインタラクティブメディアドキュメントを含む。
【００６２】
具体的には、利用者は、マルチスクリーンサービスへの加入時に受信を希望するマルチスクリーンサービスの種類を選択でき、補助手段を決定するインタラクティブメディアドキュメントは、利用者の加入契約に従って利用者に送信されるＯＭＡインタラクティブメディアドキュメント中のマルチスクリーンサービス通知情報およびマルチスクリーンサービス要求コマンドテンプレートを決定する。利用者は、それらの異なる加入要件に従って分類され得る。例えば、しかし、それに限定されないが、スポーツ番組に加入している利用者は、一緒に分類され、新しいスポーツ番組のコンテンツが出た場合、第１の送信手段１０１は、このグループの利用者の携帯端末に、スポーツ番組の新しいコンテンツに関連した情報を含むマルチスクリーンサービス通知情報を持つＯＭＡインタラクティブメディアドキュメントをマルチキャストする。注目度が非常に高いマルチスクリーンサービスコンテンツは、全ての利用者に受信される可能性があるものとしてデフォルト設定され得る。例えば、オリンピックの開会式の生番組や建国６０周年の生番組のコンテンツがある場合、第１の送信手段１０１は、全利用者の携帯端末に、対応するコンテンツに関連した情報を含むマルチスクリーンサービス通知情報を持つＯＭＡインタラクティブメディアドキュメントをブロードキャストすることができる。無論、第１の送信手段１０１はまた、特定の利用者の携帯端末に、利用者が加入しているサービス固有の種類のコンテンツに関連した情報を含むマルチスクリーンサービス通知情報を持つＯＭＡインタラクティブメディアドキュメントを個別に送信することができる。
【００６３】
さらに、マルチスクリーンサービス要求コマンドテンプレート内のマルチスクリーンサービス再生端末に関連した情報は、携帯端末の識別情報、コンピュータの識別情報およびテレビ受信機の識別子情報の任意の１つまたは複数を含むことができる。具体的には、利用者は、マルチスクリーンサービスへの加入時にマルチスクリーンサービスを受信するために利用可能な再生端末の範囲を選択することができ、補助手段を決定するインタラクティブメディアドキュメントは、利用者の加入契約に従って利用者に送信されるべきＯＭＡインタラクティブメディアドキュメント中のマルチスクリーンサービス要求コマンドテンプレート内のマルチスクリーンサービス再生端末に関連した情報を決定する。例えば、利用者は、携帯端末およびコンピュータを保有し、かつ、マルチスクリーンサービス加入時に利用者により選択された利用可能な再生端末の範囲には、携帯端末およびコンピュータのみが含まれており、第１の送信手段１０１は、利用者の携帯端末に、携帯端末の識別情報およびコンピュータの識別情報を含む再生端末に関連した情報を搬送するマルチスクリーンサービス要求コマンドテンプレートを持つＯＭＡインタラクティブメディアドキュメントを送信する。可能性のある別のソリューションは、第１の送信手段１０１は、任意の利用者の携帯端末に、３つの再生端末の全ての識別情報を含む再生端末に関連した情報を搬送するマルチスクリーンサービス要求コマンドテンプレートを持つＯＭＡインタラクティブメディアドキュメントを送信し、マルチスクリーンサービス要求コマンドテンプレートはさらに、それぞれの再生端末の状態情報を含み、その結果、補助手段を決定するインタラクティブメディアドキュメントが、利用者の加入契約に従って、３つの再生端末の状態情報の一部または全てを「利用可能」にまた他の状態情報を「使用不可」に設定する。
【００６４】
ＯＭＡインタラクティブメディアドキュメントが、利用者の加入契約に従って決定される上記シナリオの全ては、単に例示のためのもので本発明を限定するものではなく、当業者は、前述の説明を踏まえて他の変形や修正を行うことができる。さらに、当業者は、利用者の加入契約が、利用者の要求により更新され得ることを理解するであろう。例えば、マルチスクリーンサービスの種類および／または利用可能な再生端末の範囲は、更新され得る。
【００６５】
本発明の実施形態によれば、利用者の携帯端末に送信されるＯＭＡインタラクティブメディアドキュメント内のマルチスクリーンサービス要求コマンドテンプレートはさらに、マルチスクリーンサービスの伝送優先度に関連した情報を含むことができる。このように、利用者に、異なるサービス品質を選択することが提供され得る。
【００６６】
上記のように、ＯＭＡインタラクティブメディアドキュメント内の１組のメディアオブジェクトは、ＷＡＰプロトコルに基づくリンクまたはＨＴＴＰプロトコルに基づくｗｅｂリンクであり得る、マルチスクリーンサービス要求コマンドショートカット制御ページへのリンクを含むことができる。リンクが示すページには、マルチスクリーンサービスコンテンツ、再生端末、再生時間などに関連した情報が含まれ得て、選択肢のドロップダウンメニュー、入力ボックスまたは別の編集制御機能は、それらによって、利用者にマルチスクリーンサービスをより簡単かつ好都合に要求するための取り組み法を提供するために設定され得る。しかも、本ページはさらに、利用者による選択を容易にし、ユーザエクスペリエンスの品質を改善するためにマルチスクリーンサービスコンテンツに関連したマルチメディアダイジェスト情報を含むことができる。利用者は、ＨＴＴＰプロトコルに基づくマルチスクリーンサービスショートカット制御ページにアクセスし、利用者端末２ｃ、すなわちパーソナルコンピュータを通じて番号を入力するあるいはある選択肢を選択するといった対応する操作を実行することができる。利用者の入力に応答して、ページ内に組み込まれた編集制御機能は、ネットワーク装置１へのマルチスクリーンサービス要求コマンドを自動的に生成し、送信することになる。当業者は、マルチスクリーンサービス要求コマンドショートカット制御ページを提供するためのネットワーク装置１およびサーバが、同一の装置であっても互いに独立な装置であっても良いことを理解するであろう。
【００６７】
第１の送信手段１０１が、マルチスクリーンサービス要求コマンドテンプレートを搬送するＯＭＡインタラクティブメディアドキュメントを送信した後、第１の受信手段１０２は、利用者からフィードバックされたマルチスクリーンサービス要求コマンドを受信し、マルチスクリーンサービス要求コマンドに従ってマルチスクリーンサービスについての利用者の要件を決定する。上記のように、利用者からフィードバックされたマルチスクリーンサービス要求コマンドは、利用者の携帯端末、例えば、利用者端末２ａなど、またはマルチスクリーンサービス要求コマンドショートカット制御ページを提供するサーバから到来し得る。
【００６８】
具体的には、例えば、利用者端末２ａは、｛Ｍｏｂｉｌｅ，９：００，２００９０６１５，ＮＢＡファイナル２００９＃５；ＰＣ，Ｎｏｎｅ；ＴＶ，２１：００，２００９０６１５，ＮＢＡファイナル２００９＃５｝のコンテンツを持つＯＭＡプロトコルに基づくマルチスクリーンサービス要求コマンドをフィードバックし、第１の受信手段１０２は、要求コマンドに従って、ＮＢＡファイナル２００９の第５試合の生番組を９：００に自分の携帯端末、すなわち利用者端末２ａで、かつ、同じ試合のビデオ録画を自分のテレビ受信機で２１：００に見ることを利用者が要求すること、を決定できる。当業者は、マルチスクリーンサービス要求コマンドの前述の形式およびコンテンツが、単に例示的なもので本発明を限定するものではないことを理解するであろう。
【００６９】
以下のステップは、利用者端末２ａ、すなわち利用者の携帯端末側で実行されることになる。
【００７０】
まず、第２の受信手段２０１は、マルチスクリーンサービス要求コマンドテンプレートを含んでいる少なくとも１組のメディアオブジェクトを含む、ＯＭＡインタラクティブメディアドキュメントをネットワーク装置１から受信する。
【００７１】
上記のように、受信したＯＭＡインタラクティブメディアドキュメントは、好ましくは、それぞれ、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、およびマルチスクリーンサービス要求コマンドショートカット制御ページへのリンクである、４組のメディアオブジェクトを含む。無論、受信されたＯＭＡインタラクティブメディアドキュメントはまた、前述のメディアオブジェクトの組の２つ、３つまたは１つのみを含むことができ、さらに、別のプロトコルに基づくマルチスクリーンサービス要求コマンドテンプレートを含むこともできる。
【００７２】
次いで、テンプレート取得手段２０２は、利用者端末２ａでサポートされているプロトコルに従って１組のメディアオブジェクト内のマルチスクリーンサービス要求コマンドテンプレートを取得することができる。
【００７３】
具体的には、利用者端末２ａによりサポートされるプロトコルは、ＯＭＡプロトコル、ＳＭＳプロトコル、ＳＩＰプロトコル、ＷＡＰプロトコルおよびＨＴＴＰプロトコルの任意の１つまたは複数を含むことができる。
【００７４】
可能性が高いシナリオでは、第２の受信手段２０１により受信されたＯＭＡインタラクティブメディアドキュメントは、それぞれ、ＯＭＡプロトコルに基づくマルチスクリーンサービス要求コマンドテンプレート、ＳＭＳプロトコルに基づくマルチスクリーンサービス要求コマンドテンプレート、ＳＩＰプロトコルに基づくマルチスクリーンサービス要求コマンドテンプレート、およびＷＡＰプロトコルおよび／またはＨＴＴＰプロトコルに基づくマルチスクリーンサービス要求コマンドショートカット制御ページへのリンクである、複数の組のメディアオブジェクトを含む。本発明のいくつかの実施形態によれば、利用者端末２ａが、１つまたは複数の前述のプロトコル、例えば、ＯＭＡプロトコル、ＳＭＳプロトコル、ＳＩＰプロトコル、ＷＡＰプロトコルなどをサポートする場合、テンプレート取得手段２０２は、異なるプロトコルに基づく複数のマルチスクリーンサービス要求コマンドテンプレートそれぞれをフェッチすることができる。好ましくは、テンプレート取得手段２０２は、所定の規則に従って、サポートされたプロトコルの１つに対応した１組のメディアオブジェクト内のマルチスクリーンサービス要求コマンドテンプレートを決定する。異なる目的のために、ここでの所定の規則には、任意の１つまたは複数の以下の事項、すなわち、決定されたプロトコルに基づくマルチスクリーンサービス要求コマンドに対する伝送時間が最短となること、決定されたプロトコルに基づくマルチスクリーンサービス要求コマンドにより占有される帯域幅資源が最小限となること、であり得る。例えば、テンプレート取得手段２０２は、マルチスクリーンサービス要求コマンドフィードバックのための最短伝送時間を達成するためにＯＭＡプロトコルに基づくコマンドテンプレートまたはＳＩＰプロトコルに基づくコマンドテンプレートを選択することができる。
【００７５】
次いで、コマンド編集手段２０３は、利用者の入力に従って取得したマルチスクリーンサービス要求コマンドテンプレートに基づきマルチスクリーンサービス要求コマンドを編集する。
【００７６】
例えば、テンプレート取得手段２０２は、ＯＭＡプロトコルに基づきマルチスクリーンサービス要求コマンドテンプレートを決定し、次いで、コマンド編集手段２０３が、利用者の入力に従って決定されたテンプレートに基づきＯＭＡプロトコルに準拠したマルチスクリーンサービス要求コマンドを編集する。
【００７７】
本発明のいくつかの実施形態によれば、マルチスクリーンサービス要求コマンドテンプレートが、マルチスクリーンサービスコンテンツ、再生端末および再生時間に関連した情報を含む場合、コマンド編集手段２０３は、利用者の入力に従ってマルチスクリーンサービスコンテンツ、再生端末および再生時間についての利用者の要件を含むマルチスクリーンサービス要求コマンドを編集する。例えば、ＯＭＡプロトコルに基づき上手く編集されたマルチスクリーンサービス要求コマンドは、｛Ｍｏｂｉｌｅ，９：００，２００９０６１５，ＮＢＡファイナル２００９＃５；ＰＣ，Ｎｏｎｅ；ＴＶ，２１：００，２００９０６１５，ＮＢＡファイナル２００９＃５｝のような文字列の形で表され得て、このコマンドは、ＮＢＡファイナル２００９の第５試合の生放送を９：００に自分の携帯端末、すなわち利用者端末２ａで、また同じ試合位のビデオ録画を自分のテレビ受信機で２１：００に見ることを利用者が要求することを示す。
【００７８】
本発明のいくつかの実施形態によれば、マルチスクリーンサービス要求コマンドテンプレートがさらに、マルチスクリーンサービスの伝送優先度に関連した情報を含む場合、コマンド編集手段２０３は、利用者の入力に従ってマルチスクリーンサービスの伝送優先度についての利用者の要件を含むマルチスクリーンサービス要求コマンドを編集する。
【００７９】
次いで、第２の送信手段２０４は、上手く編集されたマルチスクリーンサービス要求コマンドをネットワーク装置１に送信する。
【００８０】
本発明のある実施形態によれば、要求装置２０はさらに、テンプレート取得手段２０２により取得されたマルチスクリーンサービス要求コマンドテンプレートに従って、利用者がマルチスクリーンサービス要求コマンドを編集するための入力パラメータ限定利用者インタフェースを提供するための補助手段を提供する利用者インタフェースを含むことができる。具体的には、補助手段を提供する利用者インタフェースは、マルチスクリーンサービス要求コマンドテンプレートに従って、より親しみやすい入力制御インタフェース、例えば、ドロップダウンメニュー、入力ボックス、それらに添付された一時的ポップアップヘルプボックスを提供することができ、従って、利用者は、番号を入力する、いくつかの選択肢を選択するなどの簡単な操作によりマルチスクリーンサービス要求コマンド編集することができる。例えば、マルチスクリーンサービス要求コマンドテンプレートが、マルチスクリーンサービスコンテンツ、再生端末、再生時間および再生日に関連した情報を含む場合、対応する入力制御インタフェースは、再生端末およびサービスコンテンツに関連した情報を相互に結びつけ、索引付けした項目として複数の組み合わせを提供することができ、その結果、利用者は、「再生端末＋サービスコンテンツ」の所望の特定の項目に対して「再生時間」および「再生日」のフィールドに単に入力することができる。入力制御インタフェースについてのここでの説明は、単に例示的なもので限定するものではない。
【００８１】
上記のように、マルチスクリーンサービスコンテンツの送信は、ネットワーク装置１またはネットワーク装置１と相互に独立な別のサーバにより実行され得る。
【００８２】
マルチスクリーンサービスコンテンツの送信が、ネットワーク装置１により実行される例として、ネットワーク装置１は、利用者からフィードバックされた受信されたマルチスクリーンサービス要求コマンド内の再生時間に関連した情報および／またはマルチスクリーンサービスの伝送優先度に関連した情報に従って複数のサービスの品質レベルを提供することができ、事業者はまた、それに応じて様々な課金基準を設定することができる。例えば、ネットワーク装置１により受信されたマルチスクリーンサービス要求コマンドは、スポーツの試合の生番組を９：００に自分の携帯端末で、また同じ試合のビデオ録画を自分のテレビ受信機で２１：００に見ることを利用者が要求することを示す。生番組のような実時間サービスに対して、ネットワーク装置１は、利用者の携帯端末への実時間でのコンテンツの送信を９：００に開始するように、より多い帯域幅資源を実時間で提供することになり、また、ビデオ録画のような非実時間サービスに対しては、ネットワーク装置１は、２１：００の幾らか前から利用者のテレビ受信機にコンテンツ送信を開始して、それによって、帯域幅資源を全て使用するように、ネットワークが空いているときにのみ帯域幅資源を提供する必要がある。さらに、課金基準は、マルチスクリーンサービスの伝送優先度に関連させ得る。より高い課金基準の利用者は、自分のマルチスクリーンサービス要求コマンド中により高い伝送優先度を設定することが認められ得て、ネットワーク装置１は、より高い伝送優先度が設定されているマルチスクリーンサービス要求コマンド内で要求されているコンテンツを優先的に送信することになる。
【００８３】
当業者は、本発明の中で参照されるそれぞれの手段が、ハードウェアモジュール内にまたはソフトウェアの機能モジュール内に、またはソフトウェア機能モジュールと統合されたハードウェアモジュール内に実装され得ることを理解するであろう。
【００８４】
本発明の実施形態が、上記に説明されてきたが、本発明は、何らかの特定のシステム、装置またはプロトコルに限定されるものではなく、当業者は、添付の特許請求の範囲を逸脱することなく多くの変形または修正を行うことができる。
【図１】
0005709858.tif 000002
【図２】
0005709858.tif 000003
【図３】
0005709858.tif 000004
【図４】
0005709858.tif 000005
【図５】
0005709858.tif 000006